(57)【要約】【課題】本発明の課題は、表示部が巻取り収容および引き出し可能な表示装置を提供することである。【解決手段】表示部および該表示部を駆動するための回路部を備え、該表示部はフレキシブル基板と、前記フレキシブル基板上に一対の電極、および該電極間に少なくとも１層の表示要素を挟持した表示素子を有し、所定の方向に巻取り収容および引き出し可能である表示装置であって、前記電極の一方は金属電極であり、前記電極の他方は金属酸化物よりなるストライプ状電極であり、該ストライプの長辺を該表示装置の巻取り方向に対して直角方向に配置して有することを特徴とする。【選択図】図１
2008052040.tif 000002
【特許請求の範囲】
【請求項１】
表示部および該表示部を駆動するための回路部を備え、該表示部はフレキシブル基板と、前記フレキシブル基板上に一対の電極、および該電極間に少なくとも１層の表示要素を挟持した表示素子を有し、所定の方向に巻取り収容および引き出し可能である表示装置であって、前記電極の一方は金属電極であり、前記電極の他方は金属酸化物よりなるストライプ状電極であり、該ストライプの長辺を該表示装置の巻取り方向に対して直角方向に配置して有することを特徴とする表示装置。
【請求項２】
前記表示装置は、前記表示部と前記回路部とを収容するための収容部をさらに有することを特徴とする請求項１に記載の表示装置。
【請求項３】
前記表示装置は、前記収容部に前記表示部を出し入れするための開口部をさらに有し、該開口部は前記表示部を湾曲保持するため円弧形状を有することを特徴とする請求項２に記載の表示装置。
【請求項４】
前記表示装置は、前記表示部を巻取りするための巻取り部をさらに有することを特徴とする請求項１〜請求項３のいずれか１項に記載の表示装置。
【請求項５】
前記回路部は、前記巻取り部の内部に配置されていることを特徴とする請求項３又は請求項４に記載の表示装置。
【請求項６】
前記表示素子は、印加された電界により発光、又は変化する光学特性を有することを特徴とする請求項１〜請求項５のいずれか１項に記載の表示装置。
【請求項７】
前記表示素子は、発光素子であることを特徴とする請求項１〜請求項６のいずれか１項に記載の表示装置。
【請求項８】
前記表示素子は、有機ＥＬ素子であることを特徴とする請求項１〜請求項７のいずれか１項に記載の表示装置。
【発明の詳細な説明】
【技術分野】
【０００１】
本発明は、表示部が巻取り収容および引き出し可能な表示装置に関する。
【背景技術】
【０００２】
従来、データー処理装置やテレビ等の表示装置は、陰極線管が主流であった。その後、省スペース化を目的とした平面表示装置には、例えばプラズマ表示素子、液晶表示素子、エレクトロルミネッセンス素子（以下、ＥＬ素子と呼ぶ。）等が用いられるようになった。しかし、これらの表示装置は、ガラス等のフレキシブル性を有しない基板上に形成されているため、表示装置の容積を小さくして移動、および携帯することが困難であった。また、このようなガラス基板を用いた表示素子では、落下等の衝撃によって破損しやすく、取り扱いに注意が必要であった。さらに、表示装置の大画面化にともない、装置重量が増加する傾向にあった。
【０００３】
近年、表示素子を収容して移動および携帯を容易にするためのフレキシブル性を有する表示装置が、いくつか提案されている。例えば、ロールスクリーン状に表示素子を巻き取り可能な表示装置が開示されている（例えば、特許文献１参照。）。さらに、円筒形の収容器に表示素子を巻取り収容可能な表示装置も開示されている（例えば、特許文献２参照。）。これら表示装置は、プラスティック等のフレキシブル性を有する基板上にＥＬ素子を形成し、巻取り収容可能な構造を有している。
【特許文献１】特開２００２−１５８５８号公報
【特許文献２】特開２００２−３２８６２５号公報
【発明の開示】
【発明が解決しようとする課題】
【０００４】
しかし、フレキシブル基板を用いた表示素子では、巻取り収容および引き出しで加わる曲げ応力により表示素子が破損してしまうという、ガラス基板では起こらなかった新たな問題が発生してしまうことがわかった。特に、巻取り方向に延在するストライプ電極は、大きな曲げ応力を受けるため破損しやすく、巻取り収容および引き出しを繰り返すことで画像を表示できなくなるという問題があった。 
【０００５】
本発明では、巻取り収容および引き出しを繰り返した場合でも表示素子の破損が起こらない表示装置を提供することを目的とする。それによって、画面の大型化と表示装置の小型化、軽量化を両立した表示装置を提供するとともに、落下等による衝撃にも強い表示装置を提供することができる。
【課題を解決するための手段】
【０００６】
本発明の上記課題は、下記の手段によって解決された。
【０００７】
＜１＞  表示部および該表示部を駆動するための回路部を備え、該表示部はフレキシブル基板と、前記フレキシブル基板上に一対の電極、および該電極間に少なくとも１層の表示要素を挟持した表示素子を有し、所定の方向に巻取り収容および引き出し可能である表示装置であって、前記電極の一方は金属電極であり、前記電極の他方は金属酸化物よりなるストライプ状電極であり、該ストライプの長辺を該表示装置の巻取り方向に対して直角方向に配置して有することを特徴とする表示装置。
＜２＞  前記表示装置は、前記表示部と前記回路部とを収容するための収容部をさらに有することを特徴とする＜１＞に記載の表示装置。
＜３＞  前記表示装置は、前記収容部に前記表示部を出し入れするための開口部をさらに有し、該開口部は前記表示部を湾曲保持するため円弧形状を有することを特徴とする＜２＞に記載の表示装置。
＜４＞  前記表示装置は、前記表示部を巻取りするための巻取り部をさらに有することを特徴とする＜１＞〜＜３＞のいずれか１項に記載の表示装置。
＜５＞  前記回路部は、前記巻取り部の内部に配置されていることを特徴とする＜３＞又は＜４＞に記載の表示装置。
＜６＞  前記表示素子は、印加された電界により発光、又は変化する光学特性を有することを特徴とする＜１＞〜＜５＞のいずれか１項に記載の表示装置。
＜７＞  前記表示素子は、発光素子であることを特徴とする＜１＞〜＜６＞のいずれか１項に記載の表示装置。
＜８＞  前記表示素子は、有機ＥＬ素子であることを特徴とする＜１＞〜＜７＞のいずれか１項に記載の表示装置。
【０００８】
本発明の表示装置は、表示部および該表示部を駆動するための回路部を備え、該表示部はフレキシブル基板と、前記フレキシブル基板上に一対の電極、および該電極間に少なくとも１層の表示要素を挟持した表示素子を有し、所定の方向に巻取り収容および引き出し可能である表示装置であって、前記電極の一方は金属電極（以後、第１電極と称することがある。）であり、前記電極の他方は金属酸化物よりなるストライプ状電極（以後、第２電極と称することがある。）であり、該ストライプの長辺を該表示装置の巻取り方向に対して直角方向に配置して有することを特徴とするものである。この構成によれば、曲げ強度の弱い材料からなる第２電極は、巻取り収容および引き出される際に、曲げ応力がほとんどかからないため破損することがなく、長期に安定した表示を可能にする。
ここで、前記巻取り方向と前記ストライプ状電極の長辺のなす角度が、厳密に９０°である必要はなく、９０°からある程度傾いても同様の効果が得られる。また、任意に電極を傾けて、画素をデルタ配列とすることも可能である。したがって、本発明の直角方向とは、９０°±３０°の範囲を表す。
【発明の効果】
【０００９】
本発明の表示装置によれば、繰り返し巻取り収容および引き出しによる表示素子の電極破損が防止され、それによって長期に安定した画像の表示が可能となる。また、このような巻取り収容および引き出し可能な表示装置は、大画面表示に好適に用いることができるとともに、表示素子の収容により保管場所の省スペース化を向上することができる。さらに、フレキシブル基板を用いることにより、表示装置の軽量化が計れ、携帯性を向上するとともに、落下等の衝撃による表示素子の破損を防止できる。
【発明を実施するための最良の形態】
【００１０】
以下、図面を参照して、本発明の好適な実施の形態を説明する。ここでは、表示素子として有機ＥＬを備えた表示装置を例に用いて説明する。
【００１１】
図１は、本発明を適用した有機ＥＬ表示装置の構成を示した概略斜視図であって、表示部が引き出された使用状態を示している。そして、図２は、図１の有機ＥＬ表示装置の表示部を収容した状態を示している。有機ＥＬ表示装置１は、表示部２と、表示部２の一側端部に配置され、表示部２の駆動制御を行う駆動回路、有機ＥＬ表示装置１全体に電源を供給する電源回路、表示信号を受信する信号処理回路等が収容された回路部３と、回路部３のまわりに配置され、表示部２を収容する収容部４とを備えて構成されている。ここで、回路部３は、円筒状で、表示部２を巻き取る巻取り部を兼ねている。収容部４は、収容部本体４ａと、収容部蓋４ｂを備え、表示部２と回路部３を収容部本体に収容したのち、収容部蓋４ｂを閉じることで収容部４が密閉されている。
有機ＥＬ表示装置１は、図１の状態が動作状態であり表示部２に情報を表示することが出来る。使用しない状態あるいは携帯時には、図２の状態に巻き取り収容して行う。その後使用する場合、再び、表示部２を引き出して図１の状態にする。本有機ＥＬ表示装置１は、このように図１の作動状態と図２の不作動の収容状態とを反復する。
【００１２】
図３は、表示部２と回路部３の構成を示した要部斜視図である。回路部３は、回路収容部本体３ａと回路収容部蓋３ｂに分割されるよう構成されている。回路収容部本体３ａには、表示部２の一側端部に配置された駆動回路７、電源回路（図示せず）、信号処理回路（図示せず）等が収容されており、回路収容部蓋３ｂをかぶせることで回路部３が密閉される。また、回路部３の回転中心には、回転軸６が備えられ、収容部４の軸受け部（図示せず）に回転自在に係合されている。ここで、回転軸６近傍には、回路部３に収容された回路から信号や電源を入出力するためのロータリーコネクターを備えても良い。これによって、回路部３から電源回路等を外に出すことが可能となり回路部３の体積を小さくし設計の自由度を向上でき、また、外部から充電することができるため好ましい。さらに、回転軸６と収容部４の間に、渦巻きバネやクラッチ等を備えても良い。これによって、引き出された表示部２を自動的に収容部４に収容したり、表示部２を必要量引き出すことが可能となるため好ましい。
【００１３】
図４は、表示部２と回路部３の電気接続状態を示す平面図である。表示部２は、透明のフィルム状プラスティック基板上に有機ＥＬ素子が複数形成されて構成された画素部１０と、各有機ＥＬ素子２０を駆動するために各有機ＥＬ素子２０と各駆動回路７とを電気接続し、縦配線１１と横配線１２とからなる配線１３が配置された配線部１６とを備えている。ここでは、説明の便宜上、回路部３と対向した辺を第１の辺１４、第１の辺１４と直交した辺を第２の辺１５と呼ぶこととする。
【００１４】
画素部１０は、有機ＥＬ素子２０をマトリックス状に複数配列することにより形成されている。図５に有機ＥＬ素子の構成を示す要部斜視図を、また、図６に要部縦断面図を示す。画素部１０は、透明基板であるフィルム状プラスティック２１上にストライプ状（帯状）に透明電極である陽極２２が複数設けられ、その上に正孔輸送層２３、発光層２４、および電子輸送層２５とが積層されてなるシート状の有機ＥＬ層２８が設けられている。そして、さらに陽極２２と直交するようにしてストライプ状の陰極２６が複数設けられ、その上に保護層２７が設けられて構成されたもので、透明電極である陽極２２と陰極２６とが交差する位置に有機ＥＬ素子２０が形成されている。ここで、画素部１０は、陽極２２と直交するＸ方向に巻取り収容される。これによって、陽極２２には、巻取り収容において曲げ応力が加わらない構成とすることができる。
【００１５】
フィルム状プラスティック基板２１は、有機ＥＬ素子２０の支持体となるものであり、このフィルム状プラスティック基板２１上に有機ＥＬ素子２０を構成する各層が形成される。有機ＥＬ素子２０のフィルム状プラスティック基板に対向する面上に、有機ＥＬ素子をさらに保護する目的で、プラスティックフィルム等を備えることも好ましい。
【００１６】
フィルム状プラスティック基板２１に用いる材料としては、透過率の高い材料であれば特に制限はなく、例えばポリエチレンテレフタレート、ポリブチレンフタレート、ポリエチレンナフタレート等のポリエステル、ポリスチレン、ポリカーボネート、ポリエーテルスルホン、ポリアリレート、ポリイミド、ポリシクロオレフィン、ノルボルネン樹脂、ポリ（クロロトリフルオロエチレン）等のプラスティックフィルムを好ましく用いることができる。また、フィルム状プラスティック基板２１には、水分や酸素の透過を防止するためのガスバリア層、有機ＥＬ素子２０の傷付きを防止するためのハードコート層、フィルム状プラスティック基板２１の平坦性や陽極２２との密着性を向上するためのアンダーコート層等を備えることも好ましい。
【００１７】
ここで、フィルム状プラスティック基板２１の厚みは、５０μｍ以上５００μｍ以下とすることが好ましい。これは、フィルム状プラスティック基板基板２１の厚みを５０μｍ未満とした場合には、フィルム状プラスティック基板２１自体が十分な平坦性を保持することが難しいため、有機ＥＬ素子２０を構成した際に、有機ＥＬ素子２０の良好な平坦性を維持することが困難になる虞があるからである。また、フィルム状プラスティック基板２１の厚みを５００μｍよりも厚くした場合には、フィルム状プラスティック基板２１自体を自由に曲げることが困難になる、すなわちフィルム状プラスティック基板２１自体の可撓性が乏しくなるため、有機ＥＬ素子２０を構成した際に、有機ＥＬ素子２０の可撓性が悪くなるからである。
【００１８】
陽極２２に用いる陽極材料としては、有機ＥＬ層２８に正孔を供給し、有機ＥＬ層からの発光を透過する電極としての機能を有していれば特に制限はなく、公知の電極材料の中から適宜選択することができる。例えば、アンチモンやフッ素等をドープした酸化錫（ＡＴＯ、ＦＴＯ）、酸化錫、酸化亜鉛、酸化インジウム、酸化インジウム錫（ＩＴＯ）、酸化亜鉛インジウム（ＩＺＯ）、アルミニウムやガリウムをドープした酸化亜鉛（ＡＺＯ、ＧＺＯ）等の金属酸化物を好ましく用いることができる。有機ＥＬ素子に用いる陽極材料として、より好ましくは、正孔注入性、生産性、導電性、透明性等の点でＩＴＯである。
【００１９】
ここで、陽極２２の厚みは、１００ｎｍ以上５００ｎｍ以下とすることが好ましい。これは、陽極２２の厚みが１００ｎｍ未満の場合、厚みが薄すぎるために陽極２２として十分に機能しなくなるからである。また、陽極２２の厚みが５００ｎｍよりも厚い場合には、可視光の透過率が悪くなり、実用に適さなくなるからである。陽極の抵抗値としては、１０３Ω／□以下が好ましく、１０２Ω／□以下がより好ましい。その透過率としては、６０％以上が好ましく、７０％以上がより好ましい。
【００２０】
陽極材料として用いられる前述の金属酸化物は、いずれも後述の陰極２６に用いられる材料に比べて曲げ強度が小さい。ここで、曲げ強度とは、電極に曲げ応力が加えられたときの破断強度を意味する。材料としては、脆弱な金属酸化物の方が、金属や合金のような展性の大きい材料よりも曲げ強度は小さい。
【００２１】
正孔輸送層２３は、陽極２２から正孔を受け取り発光層２４に輸送する機能を有する層である。正孔輸送層２３に使用する材料としては、例えばカルバゾール誘導体、トリアゾール誘導体、オキサゾール誘導体、オキサジアゾール誘導体、イミダゾール誘導体、ポリアリールアルカン誘導体、ピラゾリン誘導体、ピラゾロン誘導体、フェニレンジアミン誘導体、アリールアミン誘導体、アミノ置換カルコン誘導体、スチリルアントラセン誘導体、フルオレノン誘導体、ヒドラゾン誘導体、スチルベン誘導体、シラザン誘導体、芳香族第三級アミン化合物、スチリルアミン化合物、芳香族ジメチリディン系化合物、ポルフィリン系化合物、有機シラン誘導体、カーボン、フェニルアゾールやフェニルアジンを配位子に有するＩｒ錯体に代表される各種金属錯体等が挙げられるが、これらに限定されるものではない。
【００２２】
発光層２４は、正孔輸送層２３から正孔を受け取り、電子輸送層２５から電子を受け取り、正孔と電子の再結合の場を提供して発光させる機能を有する層である。本発明における発光層２４は、発光材料のみで構成されていても良く、ホスト材料と発光材料の混合層とした構成でも良い。発光材料は蛍光発光材料でも燐光発光材料であっても良く、ドーパントは１種であっても２種以上であっても良い。ホスト材料は電荷輸送材料であることが好ましい。ホスト材料は１種であっても２種以上であっても良く、例えば、電子輸送性のホスト材料とホール輸送性のホスト材料を混合した構成が挙げられる。
【００２３】
本発明に使用できる蛍光発光材料としては、例えばベンゾオキサゾール誘導体、ベンゾイミダゾール誘導体、ベンゾチアゾール誘導体、スチリルベンゼン誘導体、ポリフェニル誘導体、ジフェニルブタジエン誘導体、テトラフェニルブタジエン誘導体、ナフタルイミド誘導体、クマリン誘導体、縮合芳香族化合物、ペリノン誘導体、オキサジアゾール誘導体、オキサジン誘導体、アルダジン誘導体、ピラリジン誘導体、シクロペンタジエン誘導体、ビススチリルアントラセン誘導体、キナクリドン誘導体、ピロロピリジン誘導体、チアジアゾロピリジン誘導体、シクロペンタジエン誘導体、スチリルアミン誘導体、ジケトピロロピロール誘導体、芳香族ジメチリディン化合物、８−キノリノール誘導体の金属錯体やピロメテン誘導体の金属錯体に代表される各種金属錯体等、ポリチオフェン、ポリフェニレン、ポリフェニレンビニレン等のポリマー化合物、および有機シラン誘導体などの化合物等が挙げられるが、これらに限定されるものではない。
【００２４】
また、本発明に使用できる燐光発光材料としては、例えば遷移金属原子又はランタノイド原子を含む錯体が挙げられる。遷移金属原子としては、特に限定されないが、好ましくはルテニウム、ロジウム、パラジウム、タングステン、レニウム、オスミウム、イリジウム、及び白金が挙げられ、より好ましくは、レニウム、イリジウム、及び白金である。ランタノイド原子としては、好ましくはランタン、セリウム、プラセオジム、ネオジム、サマリウム、ユーロピウム、ガドリニウム、テルビウム、ジスプロシウム、ホルミウム、エルビウム、ツリウム、イッテルビウム、およびルテシウムが挙げられ、より好ましくはネオジム、ユーロピウム、及びガドリニウムである。
【００２５】
錯体の配位子としては、例えばハロゲン配位子（好ましくは塩素配位子）、含窒素ヘテロ環配位子（例えば、フェニルピリジン、ベンゾキノリン、キノリノール、ビピリジル、フェナントロリンなど）、ジケトン配位子（例えば、アセチルアセトンなど）、カルボン酸配位子（例えば、酢酸配位子など）、一酸化炭素配位子、イソニトリル配位子、およびシアノ配位子等が挙げられ、含窒素ヘテロ環配位子が特に好ましい。
【００２６】
燐光発光材料は、発光層２４中に、０．１質量％〜４０質量％含有されることが好ましく、０．５質量％〜２０質量％含有されることがより好ましい。
【００２７】
また、本発明における発光層２４に含有されるホスト材料としては、例えばカルバゾール骨格を有するもの、ジアリールアミン骨格を有するもの、ピリジン骨格を有するもの、ピラジン骨格を有するもの、トリアジン骨格を有するもの及びアリールシラン骨格を有するものや、前述の正孔輸送層２３、後述の電子輸送層２５の項で例示されている材料等が挙げられるが、これらに限定されるものではない。
【００２８】
電子輸送層２５は、陰極２６から電子を受け取り発光層２４に輸送する機能を有する層である。電子輸送層２５に使用する材料としては、例えばトリアゾール誘導体、オキサゾール誘導体、オキサジアゾール誘導体、イミダゾール誘導体、フルオレノン誘導体、アントラキノジメタン誘導体、アントロン誘導体、ジフェニルキノン誘導体、チオピランジオキシド誘導体、カルボジイミド誘導体、フルオレニリデンメタン誘導体、ジスチリルピラジン誘導体、ナフタレン、ペリレン等の芳香環テトラカルボン酸無水物、フタロシアニン誘導体、８−キノリノール誘導体の金属錯体やメタルフタロシアニン、ベンゾオキサゾールやベンゾチアゾールを配位子とする金属錯体に代表される各種金属錯体、有機シラン誘導体、等が挙げられるが、これらに限定されるものではない。
【００２９】
陰極２６は、有機ＥＬ層に電子を注入する電極としての機能を有していれば特に制限はなく、公知の電極材料の中から適宜選択することができる。例えば、金属、合金等が挙げられるが、好ましくは金属である。具体例としてはアルカリ金属（たとえば、Ｌｉ、Ｎａ、Ｋ、またはＣｓ等）、アルカリ土類金属（たとえばＭｇ、Ｃａ等）、金、銀、鉛、アルミニウム、ナトリウム−カリウム合金、リチウム−アルミニウム合金、マグネシウム−銀合金、インジウム、およびイッテルビウム等の希土類金属等の低仕事関数を有する金属材料が挙げられるが、これらに限定されるものではない。
【００３０】
保護層２７は、水分や酸素等の素子劣化を促進するものが素子内に入ることを抑止する機能を有していれば、特に制限はなく、Ｉｎ、Ｓｎ、Ｐｂ、Ａｕ、Ｃｕ、Ａｇ、Ａｌ、Ｔｉ、またはＮｉ等の金属、ＭｇＯ、ＳｉＯ、ＳｉＯ２、Ａｌ２Ｏ３、ＧｅＯ、ＮｉＯ、ＣａＯ、ＢａＯ、Ｆｅ２Ｏ３、Ｙ２Ｏ３、またはＴｉＯ２等の金属酸化物、ＳｉＮｘ、ＳｉＮｘＯｙ等の金属窒化物、ＭｇＦ２、ＬｉＦ、ＡｌＦ３、ＣａＦ２等の金属フッ化物、ポリエチレン、ポリプロピレン、ポリメチルメタクリレート、ポリイミド、ポリウレア、ポリテトラフルオロエチレン、ポリクロロトリフルオロエチレン、ポリジクロロジフルオロエチレン、クロロトリフルオロエチレンとジクロロジフルオロエチレンとの共重合体、テトラフルオロエチレンと少なくとも１種のコモノマーとを含むモノマー混合物を共重合させて得られる共重合体、共重合主鎖に環状構造を有する含フッ素共重合体、吸水率１％以上の吸水性物質、吸水率０．１％以下の防湿性物質等が挙げられるが、これらに限定されるものではない。
【００３１】
以上のように構成された画素部１０は、有機ＥＬ素子２０の陽極２２と陰極２６との間に直流電圧を選択的に印可することにより、陽極２２から注入された正孔が正孔輸送層２３を経て、また陰極２６から注入された電子が電子輸送層２５を経て移動し、それぞれ発光層２４に到達する。その結果、発光層２４においては、電子と正孔との再結合が生じ、ここから所定の波長で発光が生じる。また、発光層２４の材料を選択することにより、Ｒ、Ｇ、Ｂの三色を発光するフルカラー用、マルチカラー用の画素部とすることができる。
【００３２】
配線部１６は、有機ＥＬ素子２０の陰極２６とから引き出された縦配線１１と、陽極２２から引き出された横配線１２との２種類の配線により構成された配線１３が配置されている。
【００３３】
縦配線１１は、陰極２６より引き出され、表示部２上において回路部３と直交する方向、すなわち、回路部３と第１の辺１４とに略直角な方向に配置されている。そして、縦配線１１は、図４に示すように、画素部１０からそのまま略直線状に回路部３まで配置され、各有機ＥＬ素子２０と駆動回路７とを接続している。
【００３４】
また、横配線１２は、陽極２２より引き出され、表示部２上において回路部３と平行な方向に対して約４５°の角度で回路部３の方向に引き出され、そののち略直線状に回路部３まで配置され、各有機ＥＬ素子２０と駆動回路７とを接続している。
【００３５】
図４では、横配線１２は、画素部１０の両方向に引き出されている。このように画素部１０を表示部２の第１の辺１４と平行な方向において、略中心部に配置し、横配線１２を画素部１０の両方向に引き出すことにより、画素部１０を表示部の第１の辺１４と平行な方向において、略中心部に配置することができる。また、横配線１２は、必ずしも画素部１０の両方向に引き出す必要はなく、横配線１２を画素部１０のどちらか一方のみに引き出しても良い。
【００３６】
また、縦配線１１及び横配線１２の材料としては、例えばＡｕ、Ｃｒ、Ａｌ、Ｃｕ等の比抵抗率が低く、化学的に安定な材料が挙げられる。
【００３７】
以上のように構成された表示部２において、画素部１０の陽極２２は、巻取り方向Ｘに対して垂直な方向に配置されている。したがって、表示部２の巻取り収容に際して、陽極２２には曲げ応力が加えられず、結果として繰り返し巻取り収容において、陽極２２の破断が発生せず、表示部の長期に安定な表示が可能となる。
上記においては、巻取り方向Ｘと陽極２２のなす角度が９０°になる場合について説明したが、本発明に係わる有機ＥＬ表示装置は、必ずしも前記角度が９０°である必要はない。
例えば、製造上の誤差等により、９０°から多少傾いても陽極２２の破断防止の効果を得ることが可能である。また、高品質の画像表示を目的として、画素をデルタ配列とした場合、パッシブマトリックス型表示素子では、陽極と陰極を直交させず、陽極を画素配列に合わせて傾けることもできる。このとき、陽極と陰極のなす角は、１０°〜３０°となる。このような観点から、本発明の垂直方向とは、９０°±３０°の範囲を利用できる。
【００３８】
また、表示部２の基板と、画素部１０の基板、すなわち画素部１０を構成する有機ＥＬ素子２０の基板とは兼用されており、可撓性を有する透明基板が用いられている。表示部２の基板として、可撓性を有する基板を用いることにより、表示部２に可撓性を付与することが可能となる。そして、表示部２に可撓性が付与されることにより、表示部２を折曲して巻取りすることが可能とされ、その結果、表示部２を巻取り収納することが可能となる。
【００３９】
回路部３は、表示部２の一側端部に配置され、有機ＥＬ素子２０の駆動制御を行う駆動回路７、有機ＥＬ表示装置１全体に電源を供給する電源回路（図示せず）、表示信号を受信する信号処理回路（図示せず）等が収納されている。また、回路部３は、回路類を回路収納部３ａと３ｂで覆うことにより構成されている。回路収納部は、回路類を保護し、また、表示部２を巻取り収納する際の軸となるものである。回路収納部の形状は、円筒形とされることが好ましい。これは、表示部２を巻取り収納する際に、表示部２表面に傷を付けたり、不均一な応力がかからないようにするためである。また、表示部２を巻取り収納する際の軸としての機能を考慮した場合、回路収納部の直径又は太さは、表示部２を構成する材料の機械的強度等を考慮して所定の寸法とすることが好ましい。
【００４０】
収納部４は、表示部２を巻取り収納する部分であり、図１に示すように回路収納ケースを略中心として回路収納ケースを覆うように角柱状の画面収納部本体４ａを配することにより構成されている。ここで、画面収納本体４ａには、その長手方向に沿って表示部２の厚みよりもやや大とされた幅を有する開口部５が設けられている。開口部５を設けることにより、表示部２を収納又は引き出す場合には、この開口部５より表示部２が出入可能とされる。
【００４１】
また、本発明においては、画面収納部３ａの形状は、机上等に載置したときの安定性を考慮して角柱状としたが、これ限定されることはない。例えば、有機ＥＬ表示装置を巻回収納した際に、傷が付きにくく、外力に強い円筒形とされても良い。
【００４２】
また、図７に示すように、表示部２の巻取り部３１が設けられた辺と対向する一辺には、収納部４に設けられた開口部５の幅よりもやや大とされた幅と厚みを有する把手３２を設けておくことが好ましい。表示部２の端部に把手３２を設けることにより、表示部２が全て収納部４に入り込んでしまい、表示部２が引き出せなくなる不具合を防止することができる。このような構成にした場合、表示部２を駆動するための回路は、巻取り部３１と把手３２のいずれにも配置することができる。
【００４３】
また、上記においては、有機ＥＬ表示装置１が収納部４を備えて、表示部２が収納部４内に収納される場合について説明したが、本発明に係る有機ＥＬ表示装置は、必ずしも収納部を備えている必要はない。
【００４４】
例えば、収容部を設けずに、回路部３を軸として表示部２を巻回収納しても良い。この場合は、表示部２の一主面、すなわち、表示部において画像等が表示される主面とは反対側の主面に、プラスティックフィルムを保護シートとして配置しておくことが好ましい。
プラスティックフィルムを配置することにより、巻取り収納した際に表示部２に傷等が付くことを防止することができる。また、ガスバリア性を有するプラスティックフィルム用いることにより、巻取り収納した際に有機ＥＬ表示装置を外部の水分から保護することができる。
【００４５】
また、収容部を設けない場合には、表示部２を巻取り収納した状態に保持する手段を設けることが好ましい。例えば、単にバンド等により巻取り収納した表示部２が広がらないようにしても良い。また、巻取り収納した際に、最外周に位置する表示部の所定の位置とそれに対応する位置とを、図８に示すようにマグネット３３等により係止するようにしても良い。
【００４６】
また、上記においては、有機ＥＬ表示装置１が収容部４を備えて表示部２が１つの収納部４内に収納される場合について説明したが、本発明に係る有機ＥＬ表示装置は、必ずしも１つの収容部に表示部を収容する必要はなく、２つの収容部に収容しても良い。
【００４７】
図９に示すように、表示部２の両端に第１の巻取り部を兼ねる回路部３及び第２の巻取り部３４を備え、表示部２の両端からそれぞれ巻き取る構成とすることができる。回路部３は第１の収容部４に、第２の巻取り部３４は第２の収容部３５にそれぞれ収容される。図９は、有機ＥＬ表示装置を使用するため、表示部２を引き出し画像表示を行う作動状態を示しているが、図１０は、この有機ＥＬ表示装置を収容した状態を示している。収納状態から第１の収容部４と第２の収容部３４を、互いに引っ張ることで表示部２が第１の収容部４と第２の収容部３４から引き出され作動状態となる。表示部２を駆動するための駆動回路等は、回路部３に全て収容しても良いし、第２の巻取り部３４にその一部を分割して収容することもできる。
【００４８】
また、上記においては、有機ＥＬ表示装置１が表示部２を収容部４から平坦な形状で引き出す場合について説明したが、本発明に係る有機ＥＬ表示装置は、表示部２を平坦な形状で引き出す必要はない。
【００４９】
図１１に示すように、表示部２は収容部３６に設けた開口部３７より引き出し又は収容される。ここで、開口部３７は円弧形状を有し、表示部２は開口部３７の円弧に沿って引き出されるよう構成される。したがって、表示部２は引き出された状態では、凹面形状を保持することができる。また、開口部３７の円弧形状を上下逆にすることで、表示部２が引き出された状態で、凸面形状を保持することもできる。表示部２と開口部３７との摺動による表示部２の傷付きを防止するため、開口部３７の形状に合わせて表示部２又は表示部２の基板を成形することも好ましい。これにより、表示部２に表示された画像の認識性を向上させることができる。
【００５０】
また、上述した有機ＥＬ表示装置１においては、保護層２７側から有機ＥＬ素子２０の発光を取り出す構成とすることもできる。このような場合には、有機ＥＬ素子の構成がフィルム状プラスチック基板側から発光を取り出す有機ＥＬ素子２０を用いた場合とは逆になり、図１２及び図１３に示すような構成の有機ＥＬ素子４０とされる。すなわち、有機ＥＬ素子４０は、基板４１と、基板４１上に形成された陰極２６と、陰極上２６に形成された電子輸送層２５と、電子輸送層２５上に形成された発光層２４と、発光層２４上に形成された正孔輸送層２３と、正孔輸送層２２上に形成された陽極２２と、陽極２２上に形成された保護層２７とを備えて構成される。
【００５１】
以上のように構成された有機ＥＬ素子４０を備えた表示部２において、画素部１０の陽極２２は、巻取り方向Ｙに対して垂直な方向に配置されている。したがって、表示部２の巻取り収容に際して、陽極２２には曲げ応力が加えられず、結果として繰り返し巻取り収容において、陽極２２の破断が発生せず、表示部の長期に安定な表示が可能となる。
【００５２】
ここで、基板４１は、フィルム状プラスティック基板でも良いが、有機ＥＬ素子４０からの発光を取り出す必要がないため、フィルム状金属基板等の不透明基板も用いることができる。フィルム状金属基板は、フィルム状プラスティック基板よりもガスバリア性が高いため好ましい。フィルム状金属を有機ＥＬ素子４０の基板として用いる場合には、基板４１と陰極２６との間に、陰極２６どうしの電気絶縁性を確保するための絶縁層を、さらに設ける必要がある。
【００５３】
このようなフィルム状金属基板４１に用いる材料としては、例えばステンレス、Ｆｅ、Ａｌ、Ｎｉ、Ｃｏ、またはＣｕやこれらの合金等、常温・常圧においてフィルム状態とすることが可能な金属であれば何れの金属も用いることができる。
【００５４】
以上のように構成された有機ＥＬ表示装置１は、例えば以下のようにして作製することができる。
【００５５】
まず、フィルム状プラスチック基板７１上に、陽極として透明導電材料であるＩＴＯ膜を成膜し、これをパターニングすることにより図１６に示すようなストライプ状の透明電極、すなわち陽極７２を形成する。
【００５６】
次に、上記において形成したストライプ状の陽極７２を覆った状態に陽極７２上に絶縁材料を塗布して絶縁膜を成膜し、さらにこれをパターニングすることにより図１７に示すように、陽極７２上に開口部７３を有する絶縁層７４を形成する。
【００５７】
次に、真空蒸着法により陽極７２上の全面に有機ＥＬ層用の有機材料を成膜し、これにより図１８に示すように絶縁層７４上を覆うとともに、上述した開口部７３内においては、陽極７２上面に当接する有機ＥＬ層７５を形成する。ここで、有機ＥＬ層７５は、例えば正孔輸送層、発光層、及び電子輸送層をこの順に真空蒸着により成膜することにより形成する。
【００５８】
その後、有機ＥＬ層７５をマスクを用いてパターニングし、図１９に示すように陽極に直交するストライプ状の陰極７６を形成することにより有機ＥＬ素子を用いた画素部を得ることができる。
【００５９】
次いで、各有機ＥＬ素子と各回路との接続に関して説明する。ここで、図４における配線部１６には、マスクによるパターニングにより予め配線１３、すなわち縦配線１１及び横配線１２が形成されており、上記において陽極７２を形成することにより、図２０に示すように陽極７２と横配線１２は電気的につながった状態とされている。
【００６０】
また、上記において絶縁層７４、有機ＥＬ層７５を形成した後に、陰極７６を形成するが、陰極７６は縦配線１１と重なる部分ができるように画素部１０よりやや広い領域においてマスクによりパターニングし形成する。このことにより、予め形成された縦配線１１と陰極７６が電気的に接合される。このようにして、陰極７６から縦配線１１を、陽極７２から横配線１２を引き出す。
【００６１】
次いで、ＣＶＤ法により保護層を有機層７５が被覆されるよう形成する。
【００６２】
次いで、上記において形成した縦配線１１と横配線１２を駆動回路５に接続することにより、各有機ＥＬと回路とを接続することができる。
【００６３】
次いで、駆動回路等の回路類を回路収容部３ａと３ｂで密閉する。
【００６４】
最後に、密閉された回路部３を、回路部に備えた回転軸６と収容部に備えた軸受け部が係合するように収容部４に取り付けることにより、図１に示すような有機ＥＬ表示装置を得ることができる。
【００６５】
また、上記において、画素部１０が有機ＥＬ素子２０により構成された有機ＥＬ表示装置とされているが、本発明に係るＥＬ表示装置は、これに限定されることはなく、画素部１０が無機ＥＬ素子から構成された無機ＥＬ表示装置とされても良い。
【００６６】
無機ＥＬ表示装置は、画素部が無機ＥＬ素子をマトリックス状に多数配列した構成とされている。図１４に無機ＥＬ素子５０の構成を示す要部縦断面図を示す。すなわち、無機ＥＬ表示装置の画素部は、例えば透明基板であるフィルム状プラスチック基板５１上にストライプ状透明電極である第１電極５２が複数設けられ、その上に第１誘電体層５３と発光層５４と第２誘電体層５５とが積層されてなるシート状の無機ＥＬ層５８が設けられ、第１電極５２と直交するようにして、反射電極としてのストライプ状の第２電極５６が複数設けられ、さらに、第２電極５６上に保護層５７が設けられて構成されたもので、透明電極である第１電極５２と第２電極５６とが交差する位置に無機ＥＬ素子５０が形成された構成となっている。
【００６７】
ここで、発光層５４に用いる材料としては、ＺｎＳ、ＣａＳ、ＳｒＳ、またはＢａＡｌ２Ｓ４等の硫化物母体に、Ｍｎ、Ｃｕ等の遷移金属元素やＥｕ，Ｃｅ，Ｔｂ、Ｅｒ、またはＴｍ、Ｓｍ等の希土類元素をドーパントとして加えた材料を用いることが好ましく、第１誘電体層５３及び第２誘電体層５５に用いる材料としては、Ｙ２Ｏ３、Ｔａ２Ｏ５、ＴｉＯ２、ＢａＴｉＯ３、またはＳｒＴｉＯ３等の高誘電率を有する材料を用いることが好ましく、第１電極５２に用いる材料としては、ＩＴＯ、ＩＺＯ、ＡＺＯ、またはＧＺＯ等の透過率の高い材料を用いることが好ましく、第２電極５６に用いる材料としては、Ａｌ、Ｃｒ、Ａｕ、またはＡｇ等の反射率の高い金属、及びそれらの合金を用いることが好ましい。
【００６８】
上記において、フィルム状プラスチック基板５１を用いたが、フィルム状金属基板等の不透明基板も用いることができる。フィルム状金属基板は、フィルム状プラスティック基板よりも耐熱性が高いため、成膜時の基板温度が必要な発光層５４及び誘電体層を形成するのに好ましい。フィルム状金属を無機ＥＬ素子５０の基板として用いる場合には、第１電極５２と第２電極５６の位置を逆にして保護層５７側から無機ＥＬ層５８からの発光を取り出すように構成し、基板５１と第２電極５６との間に、第２電極５６どうしの電気絶縁性を確保するための絶縁層を、さらに設ける必要がある。
【００６９】
以上のように構成された無機ＥＬ素子５０を備えた表示部２において、画素部１０の第１電極２２は、有機ＥＬ素子の場合と同様に巻取り方向に対して垂直な方向に配置されている。したがって、表示部２の巻取り収容に際して、第１電極５２には曲げ応力が加えられず、結果として繰り返し巻取り収容において、第１電極５２の破断が発生せず、表示部の長期に安定な表示が可能となる。
【００７０】
また、上記において、画素部１０が有機ＥＬ素子２０により構成された有機ＥＬ表示装置とされているが、本発明に係る表示装置は、これに限定されることはなく、画素部１０が電気泳動素子から構成された電気泳動表示装置とされても良い。
【００７１】
電気泳動表示装置は、画素部が電気泳動素子をマトリックス状に多数配列した構成とされている。図１５に電気泳動素子６０の構成を示す要部縦断面図を示す。すなわち、電気泳動表示装置の画素部は、例えば透明基板であるフィルム状プラスチック基板６１上にストライプ状透明電極である第１電極６２が複数設けられ、その上に誘電体層６３と誘電体層６３中に分散され、２色の異なる電荷に帯電した顔料を有するマイクロカプセル６４とからなる表示層６６が設けられ、さらに、第１電極６２と直交するようにして、反射電極としてのストライプ状の第２電極６５が複数設けられて構成されたもので、透明電極である第１電極６２と第２電極６５とが交差する位置に電気泳動素子６０が形成された構成となっている。
【００７２】
以上のように構成された電気泳動素子を備えた表示部２において、画素部１０の第１電極５２は、有機ＥＬ素子の場合と同様に巻取り方向に対して垂直な方向に配置されている。したがって、表示部２の巻取り収容に際して、第１電極６２には曲げ応力が加えられず、結果として繰り返し巻取り収容において、第１電極６２の破断が発生せず、表示部の長期に安定な表示が可能となる。
【００７３】
上記において、画素部がＥＬ素子や電気泳動素子により構成されたパッシブマトリックス型のフレキシブル表示装置について記載したが、本発明はこれらに限定されることはなく、信号配線、又は表示素子の一方のストライプ状表示電極の材料に金属酸化物を用いた表示素子から構成されるフレキシブル表示装置に適用できる。
【図面の簡単な説明】
【００７４】
【図１】本発明を適用した有機ＥＬ表示装置の一例の概略斜視図であって、使用する状態を示す概略斜視図である。
【図２】図１に示した有機ＥＬ表示装置であって、その巻取り収容した状態を示す概略斜視図である。
【図３】本発明を適用した有機ＥＬ表示装置の表示部と回路部の構成を示した要部斜視図である。
【図４】本発明を適用した有機ＥＬ表示装置の表示部と回路部の構成を示した要部平面図である。
【図５】本発明を適用した有機ＥＬ表示装置に備えられた有機ＥＬ素子の構成を示す要部斜視図である。
【図６】本発明を適用した有機ＥＬ表示装置に備えられた有機ＥＬ素子の構成を示す要部断面図である。
【図７】表示部の一側端部に把手が配置された本発明を適用した有機ＥＬ表示装置の概略斜視図であって、使用する状態を示す概略斜視図である。
【図８】本発明を適用した有機ＥＬ表示装置を巻取り収納した状態に保持する手段としてマグネットを配置した状態を示す斜視図である。
【図９】表示部の両端に巻取り部を配置した本発明を適用した有機ＥＬ表示装置の概略斜視図であって、使用する状態を示す概略斜視図である。
【図１０】図９に示した有機ＥＬ表示装置であって、その巻取り収容した状態を示す概略斜視図である。
【図１１】表示部を凹面保持するための円弧形状を有する開口部を備えた本発明を適用した有機ＥＬ表示装置を使用する状態を示す概略斜視図である。
【図１２】有機ＥＬ素子の一構成例を示す要部斜視図である。
【図１３】有機ＥＬ素子の一構成例を示す要部断面図である。
【図１４】無機ＥＬ素子の構成を示す要部断面図である。
【図１５】マイクロカプセル型電気泳動素子の構成を示す要部断面図である。
【図１６】本発明を適用した有機ＥＬ表示装置の製造工程を示す縦断面図である。
【図１７】本発明を適用した有機ＥＬ表示装置の製造工程を示す縦断面図である。
【図１８】本発明を適用した有機ＥＬ表示装置の製造工程を示す縦断面図である。
【図１９】本発明を適用した有機ＥＬ表示装置の製造工程を示す縦断面図である。
【図２０】本発明を適用した有機ＥＬ表示装置の製造工程を示す平面図である。
【符号の説明】
【００７５】
１：有機ＥＬ表示装置、
２：表示部、
３：回路部、
３ａ：回路部本体、３ｂ：回路部蓋、
４：収容部、
４ａ：収容部本体、４ｂ：収容部蓋、
５：開口部、
６：回転軸、
７：駆動回路、
１０：画素部、
１３：配線
１１：縦配線、１２：横配線、
１６：配線部、
２０：有機ＥＬ素子、
２１：フィルム状プラスティック基板、
２２：陽極、
２６：陰極、
２７：保護層、
２８：有機ＥＬ層、
２３：正孔輸送層、２４：有機発光層、２５：電子輸送層、
３２：把手、
３３：マグネット、
３４：第２の収容部、
３５：第２の巻取り部、
３６：収容部、
３７：円弧形の開口部、
４０：トップエミッション型有機ＥＬ素子
４１：フィルム状金属基板、
５０：無機ＥＬ素子、
５１：フィルム状プラスティック基板、
５２：第１電極、
５８：無機ＥＬ層、
５３：第１誘電体層、５４：無機発光層、５５：第２誘電体層、
５６：第２電極、
５７：保護層
６０：電気泳動素子
６１：フィルム状プラスティック基板、
６２：第１電極、
６５：第２電極、
６６：表示層、
６３：誘電体層、６４：マイクロカプセル、
７１：フィルム状プラスティック基板、
７２：陽極、
７３：陽極開口部、
７４：絶縁層、
７５：有機ＥＬ層、
７６：陰極、
【図１】
2008052040.tif 000003
【図２】
2008052040.tif 000004
【図３】
2008052040.tif 000005
【図４】
2008052040.tif 000006
【図５】
2008052040.tif 000007
【図６】
2008052040.tif 000008
【図７】
2008052040.tif 000009
【図８】
2008052040.tif 000010
【図９】
2008052040.tif 000011
【図１０】
2008052040.tif 000012
【図１１】
2008052040.tif 000013
【図１２】
2008052040.tif 000014
【図１３】
2008052040.tif 000015
【図１４】
2008052040.tif 000016
【図１５】
2008052040.tif 000017
【図１６】
2008052040.tif 000018
【図１７】
2008052040.tif 000019
【図１８】
2008052040.tif 000020
【図１９】
2008052040.tif 000021
【図２０】
2008052040.tif 000022